(57)【要約】【課題】複数の記録速度で信号をディスクに記録できる光ディスク装置及びその状態測定方法に関し、高速、かつ、正確に光ディスクへの記録パワーを制御できる光ディスク装置及びその状態測定方法を提供することを目的とする。【解決手段】本発明は、予め設定された複数の回転速度のうち所定の回転速度でディスク（２）を回転させ、記録速度を可変しつつ信号を記録する光ディスク装置（１）において、所定の信号状態測定位置での測定結果に基づいてディスク（２）の回転速度を低減したとき、低減した回転速度における信号の状態を、他の回転速度の同じ記録速度での既に記録された信号を測定し、測定した信号状態に基づいて低減した回転速度における記録パワーを制御することを特徴とする。【選択図】  図３
2004192671.tif 000002
【特許請求の範囲】
【請求項１】
予め設定された複数の回転速度のうち所定の回転速度でディスクを回転させ、記録速度を可変しつつ信号を記録する光ディスク装置において、
前記ディスクの回転速度が低下したとき、他の回転速度の同じ記録速度で記録された信号を再生し、信号状態を測定する信号状態測定手段と、
前記信号状態測定部で測定された信号状態に基づいて前記低減した回転速度における記録パワーを制御する記録パワー制御手段とを有することを特徴とする光ディスク装置。
【請求項２】
前記信号状態測定手段は、上位の回転速度で既に記録された信号を再生し、測定することを特徴とする請求項１記載の光ディスク装置。
【請求項３】
前記信号状態測定手段は、前記再生信号に基づいてβ値を求め、
前記記録パワー制御手段は、前記β値に基づいて前記記録パワーを制御することを特徴とする請求項１又は２記載の光ディスク装置。
【請求項４】
予め設定された複数の回転速度のうち所定の回転速度でディスクを回転させ、記録速度を可変しつつ信号を記録する光ディスク装置の状態測定方法において、
所定の信号状態測定位置での測定結果に基づいて前記ディスクの回転速度を低減したとき、低減した回転速度における信号の状態を、他の回転速度の同じ記録速度での既に記録された信号を再生し、測定する測定手順と、
測定した信号状態に基づいて前記低減した回転速度における記録パワーを制御する制御手順とを有することを特徴とする光ディスク装置の状態測定方法。
【請求項５】
測定手順は、上位の回転速度で記録された既記録信号を再生することを特徴とする請求項４記載の光ディスク装置の状態測定方法。
【請求項６】
前記測定手順は、前記再生信号に基づいてβ値を求め、
前記記録パワー制御手段は、前記β値に基づいて前記記録パワーを制御することを特徴とする請求項１又は２記載の光ディスク装置。
【発明の詳細な説明】
【０００１】
【発明の属する技術分野】
本発明は光ディスク装置及びその状態測定方法に係り、特に、複数の記録速度で信号をディスクに記録できる光ディスク装置及びその状態測定方法に関する。
【０００２】
【従来の技術】
ＣＤ−Ｒ（ｃｏｍｐａｃｔ  ｄｉｓｋ−ｒｅｃｏｒｄａｂｌｅ）  やＣＤ−ＲＷ（ｃｏｍｐａｃｔ  ｄｉｓｋ−ｒｅｗｒｉｔａｂｌｅ）ディスクは、製造会社などによって、レーザの最適な記録パワーが異なる。このため、ＣＤ−Ｒ（ｃｏｍｐａｃｔ  ｄｉｓｋ−ｒｅｃｏｒｄａｂｌｅ）やＣＤ−ＲＷ（ｃｏｍｐａｃｔ  ｄｉｓｋ−ｒｅｗｒｉｔａｂｌｅ）ディスクに情報を記録するための光ディスク装置では、ディスクが装着され、記録指示があると、ＯＰＣ（ｏｐｔｉｍｕｍ  ｐｏｗｅｒ  ｃｏｎｔｒｏｌ）処理が実行される。ＯＰＣ処理は、最適な記録レーザパワーを測定するための処理であり、光ディスクの内周に設定されたＰＣＡ（ｐｏｗｅｒ  ｃａｌｉｂｒａｔｉｏｎ  ａｒｅａ）を用いて実施される。
【０００３】
ここで、ＯＰＣについて説明する。
【０００４】
ＯＰＣでは、まず、所定の記録速度でレーザの記録パワーを１５段階に変化させつつ、所定の信号をＰＣＡに記録にする。次に、ＰＣＡに記録された信号を再生し、再生信号のピーク値及びボトム値から１５種類のβ値を求める。
【０００５】
図１０はβ値の測定方法を説明するための図を示す。
【０００６】
β値は、図１０において信号のＳ１のピーク値をＡ１、ボトム値をＡ２とすると、下記の式（１）に基づいて求められる。
【０００７】
β＝（Ａ１＋Ａ２）／（Ａ１−Ａ２）          ・・・（１）
図１１は記録パワーとβ値との関係を示す図である。
【０００８】
図１２に示すようにβ値は、２次関数的に変化しており、最もβ値が小さくなる記録パワーｐｗ０が最適記録パワーとなる。
【０００９】
したがって、式（１）に基づいて求められた１５種類のβ値のうち最小のβ値得られる記録パワーを所定記録速度における最適記録パワーに設定する。
【００１０】
上記動作を各記録速度で行うことにより各記録速度における最適記録パワーを求める。求められた各記録速度毎の最適記録パワーは、マイコンのレジスタにセットされ、信号の記録時に使用される（例えば、特許文献１参照。）。
【００１１】
【特許文献１】
特開２００２−２９８３５６号公報
【００１２】
【発明が解決しようとする課題】
従来の光ディスク装置では、上記ＯＰＣで設定された最適記録パワーに基づいて記録パワーが設定されており、光ディスクの半径位置などは考慮されていなかった。よって、正確に記録パワーを設定することができないなどの問題点があった。
【００１３】
本発明は上記の点に鑑みてなされたもので、高速、かつ、正確に光ディスクへの記録パワーを制御できる光ディスク装置及びその状態測定方法を提供することを目的とする。
【００１４】
【課題を解決するための手段】
本発明は、予め設定された複数の回転速度のうち所定の回転速度でディスク（２）を回転させ、記録速度を可変しつつ信号を記録する光ディスク装置（１）において、所定の信号状態測定位置での測定結果に基づいてディスク（２）の回転速度を低減したとき、低減した回転速度における信号の状態を、他の回転速度の同じ記録速度での既に記録された信号を再生し、再生した信号に基づいて測定し、測定した信号の状態に基づいて低減した回転速度における記録パワーを制御することを特徴とする。
【００１５】
本発明のよれば、所定の信号状態測定位置での測定結果に基づいてディスク（２）の回転速度を低減したとき、低減した回転速度における信号の状態を、他の回転速度の同じ記録速度での既に記録された信号を再生し、再生した信号に基づいて測定し、測定した信号状態に基づいて低減した回転速度における記録パワーを制御することにより、信号を書き込むことなく、信号の状態を測定することができるため、低減した回転速度で直ぐに最適記録パワーで記録を行うことができ、よって、高速、かつ、正確に信号の記録を行うことができる。
【００１６】
【発明の実施の形態】
図１は本発明の光ディスク装置の一実施例のブロック構成図を示す。
【００１７】
本実施例の光ディスク装置１は、例えば、ＣＤ−Ｒ、ＣＤ−ＲＷなどを記録及び／又は再生可能なドライブであり、ＣＡＶ（ｃｏｎｓｔａｎｔ  ａｎｇｌｅｒ  ｖｅｌｏｃｉｔｙ）方式で信号を記録する構成とされている。なお、最外周で各記録速度、例えば、４８倍速、４２倍速、３６倍速などの最大記録速度が得られるように構成されている。
【００１８】
その構成は、主に、ターンテーブル１１、スピンドルモータ１２、光ピックアップ１３、スレッドモータ１４、インタフェース１５、メモリ１６、メモリコントローラ１７、エンコーダ１８、レーザコントローラ１９、リードアンプ２０、デコーダ２１、サーボコントローラ２２、ドライバ２３、マイコン２４、ＷＰＣ位置テーブル２５を含む構成とされている。
【００１９】
ターンテーブル１１には、光ディスク２が装着される。ターンテーブル１１はスピンドルモータ１２により回転されて光ディスク２を例えば、矢印Ａ方向に回転させる。スピンドルモータ１２は、ドライバ２３からの駆動信号に応じて回転する。スピンドルモータ１２の回転速度により複数の記録速度の最高記録速度が決定される。
【００２０】
光ピックアップ１３は、光ディスク２に対面するように配置され、対物レンズ３１により光ビームＬを収束させて光ディスク２に照射する。光ピックアップ１３には、対物レンズ３１を矢印Ｂ方向に揺動させてトラッキング制御を行うとともに、対物レンズ３１を矢印Ｃ方向に揺動させてフォーカス制御を行うための図示しないアクチュエータが内蔵されている。このアクチュエータはドライバ２３からの駆動信号によって駆動され、対物レンズ３１を矢印Ｂ、Ｃ方向に揺動させて、トラッキング及びフォーカス制御を行う。
【００２１】
ドライバ２３は、サーボコントローラ２２からの制御信号によりスピンドルモータ１２、スレッドモータ１４、上記トラッキング及びフォーカス制御を行うための図示しないアクチュエータに駆動信号を供給する。スレッドモータ１４は、光ピックアップ１３を光ディスク２の半径方向、すなわち、矢印Ｂ方向に移動させるためのモータである。
【００２２】
サーボコントローラ２２は、リードアンプ２０から供給されるトラッキングエラー信号及びフォーカスエラー信号に基づいてトラッキング及びフォーカス制御を行うためのアクチュエータ及びスレッドモータ１４を制御するための制御信号を生成し、ドライバ２３に供給する。また、サーボコントローラ２２は、マイコン２４からの指示に基づいてスピンドルモータ１２の回転を制御したり、アクチュエータ及びスレッドモータ１４を制御したりする。例えば、マイコン２４から指示された記録速度に応じてスピンドルモータ１２の回転速度を制御する。また、マイコン２４からの指示に基づいてフォーカス及びトラッキングアクチュエータをオフして、スレッドモータ１３を駆動して、シーク動作を実行する。
【００２３】
また、光ピックアップ１３には、図示しない光検出器が内蔵されている。光検出器は、フォーカスエラー信号及びトラッキングエラー信号並びに記録信号を検出し、リードアンプ２０に供給する。リードアンプ２０は、フォーカスエラー信号及びトラッキングエラー信号を増幅してサーボコントローラ２２に供給する。また、リードアンプ２０は、記録信号を増幅してデコーダ２１及びマイコン２４に供給する。
【００２４】
デコーダ２１は、リードアンプ２０からの記録信号をデコードする。デコーダ２１によりデコードされたデータは、メモリ１６に一旦記憶される。メモリ１６に記憶されたデータは、ホストコンピュータとのインタフェースをとるインタフェース１５を介してホストコンピュータに供給される。なお、メモリ１６は、ＲＡＭ（ｒａｎｄｏｍ  ａｃｃｅｓｓ  ｍｅｍｏｒｙ）から構成され、バッファメモリとして用いられる。メモリコントローラ１７は、インタフェース１５、メモリ１６、エンコーダ１８、デコーダ２１間における通信の制御を行う。
【００２５】
また、ホストコンピュータからの記録データは、インタフェース１５を介してメモリ１６に一旦記憶された後、エンコーダ１８に供給される。エンコーダ１８は、記録データをエンコードし、記録信号を生成する。エンコーダ１８でエンコードされた記録信号は、レーザコントローラ１９に供給される。レーザコントローラ１９は、光ピックアップ１３に内蔵された、図示しないレーザダイオードを駆動する。
【００２６】
レーザダイオードは、レーザコントローラ１９からの駆動信号に基づいて発光する。レーザダイオードから出射された光ビームは、対物レンズ３１により収束されて光ディスク２に照射される。
【００２７】
レーザコントローラ１９は、記録時には、エンコーダ１８からの記録信号に基づいて光ピックアップ１３に内蔵されたレーザダイオードを発光させる。レーザダイオードは、例えば、レーザコントローラ１９からの記録信号がハイレベルのときに光ビームの強度を強くし、記録信号がローレベルのときに光ビームの強度を弱くする。光ディスク２には、レーザダイオードからの光の強度が強いときにはピットが形成され、レーザダイオードからの光の強度が弱いときにはピットは形成されない。以上の動作によって、光ディスク２に記録信号に応じたピットが形成される。なお、レーザコントローラ１９は、再生時には、光ディスク２に、ピットが形成されない強度の光を一様に照射する。
【００２８】
このとき、レーザコントローラ１９は、マイコン２４からの指示に基づいてレーザダイオードから出射される光の強度を制御する。レーザコントローラ１９は、マイコン２４から光の強度を強くする指示があると、レーザダイオードに供給する駆動信号のレベルを大きくすることによって、レーザダイオードから出射される光に強度を強くする。また、レーザコントローラ１９は、マイコン２４から光の強度を弱くする指示があると、レーザダイオードに供給する駆動信号のレベルを小さくすることによって、レーザダイオードから出射される光の強度を弱くする。これによって、記録信号に応じたピットが形成される。
【００２９】
ＷＰＣ位置テーブル２５には、記録速度毎にＷＰＣを実施する位置が記憶されている。
【００３０】
図２はＷＰＣ位置テーブル部２５のデータ構成図を示す。
【００３１】
図２に示すようにＷＰＣ位置テーブル部２５は、記録速度毎に設けられている。各記録速度のＷＰＣ位置テーブル２５−１〜２５−ｎには、例えば、４８倍速、４２倍速、３６倍速などの各記録速度におけるＷＰＣ位置の絶対時間が設定された構成とされている。
【００３２】
図３は、光ディスク２上での絶対時間に対する記録速度の変化を示す図である。
【００３３】
図３において「●」は、図２に示す絶対時間でＷＰＣ位置を行ったときのＷＰＣ位置を示している。また、「×」は、記録速度低減時に減速先記録速度での記録パワーを補正するために参照する信号の位置を示している。
【００３４】
図３に示す「●」位置で、ＷＰＣ処理が行われ、信号状態の測定が行われる。「●」のＷＰＣ位置でＷＰＣ処理の信号測定結果、記録パワー制限範囲を超えていた場合には、記録速度を低減する。記録速度を低減することにより、記録速度が変化する。記録速度が変化すると、最適記録パワーも変化する。
【００３５】
このとき、光ディスク２上では内周側から外周側に信号が記録されている。また、光ディスク２の回転速度は、同じ記録速度一定であり、同じ記録速度であれば、内周側で遅く、外周側で早くなる。したがって、内周側では線速度が小さく、外周側では線速度が速くなる。
【００３６】
よって、同じ記録速度でも、内周側では記録速度が遅く、外周側では記録速度が速くなる。このため、記録速度が、例えば、４８倍速から４２倍速に低減した場合には、低減した記録速度は、４８倍速で既に記録した記録速度となる。したがって、図３に示すように低減された４２倍速での記録速度と同じ記録速度で既に記録された信号を読み、ＷＰＣ処理を実行することができる。
【００３７】
本実施例によれば、ＷＰＣ処理により記録速度が低減されたときに、既に書き込まれた信号によりＷＰＣ処理を行うので、低減された記録速度で未知の記録パワーで記録が行われることはなく、直ちに最適記録パワーで記録を行える。また、本実施例によれば、ＷＰＣ位置を任意に設定できる。例えば、光ディスク２の変形が大きい外周部でＷＰＣ位置が多くなるように設定することができる。これによって、記録パワーの変動が大きい外周部で多くＷＰＣ位置を設定できるため、常に最適記録パワーで記録が行える。
【００３８】
次に、上記動作を実現するためのマイコン２４での記録動作について詳細に説明する。
【００３９】
図６はマイコン２４の記録動作時のフローチャートを示す。
【００４０】
マイコン２４は、ステップＳ１−１で光ディスク２が挿入され、ステップＳ１−２で挿入された光ディスク２への信号の記録が指示されると、ステップＳ１−３でＯＰＣ（ｏｐｔｉｍｕｍ  ｐｏｗｅｒ  ｃｏｎｔｒｏｌ）を実行する。ＯＰＣは、光ディスク２の内周側に設けられたＰＣＡ（ｐｏｗｅｒ  ｃａｌｉｂｒａｔｉｏｎ  ａｒｅａ）を用いて実行される。
【００４１】
ＯＰＣでは、従来と同様に、所定の記録速度で、ＰＣＡに記録パワーを１５段階に変化させつつ所定の信号を記録する。次に、ＰＣＡに記録した信号を生成して、そのピーク値及びボトム値から式（１）に従って各記録パワーにおけるβ値を求める。次に、ＯＰＣ処理では、求められた１５段階のβ値のうち最小のβ値が得られた記録パワーを最適記録パワーとしてマイコン２４に内蔵されたレジスタにセットする。上記処理を各記録速度で行い、各記録速度における最適記録パワーを求め、マイコン２４に内蔵されたレジスタにセットする。以上によりＯＰＣ処理は終了する。
【００４２】
次に、マイコン２４は、ステップＳ１−４で記録動作を開始する。このとき、マイコン２４は、ステップＳ１−３のＯＰＣで求められた最適記録パワーのうち記録速度に対応して設定された最適記録パワーにて記録動作を行う。マイコン２４は、ステップＳ１−５でＷＰＣ位置テーブル２５に予め設定されたＷＰＣ位置になると、ステップＳ１−６でＷＰＣ処理を行う。なお、このとき、マイコン２４は、光ディスク２に予め形成されているウォブルから抽出されるウォブル信号に含まれる絶対時間を検出し、ＷＰＣ位置テーブル２５に設定された絶対時間と比較することによりＷＰＣ位置であるか否かを判定している。
【００４３】
ＷＰＣ処理は、予め設定された位置で、β値を求め、最適記録パワーを求める処理である。ＷＰＣ処理は、例えば、ディスク２の内周と外周とでβ値の特性が異なるため、ＯＰＣで求められた最適記録パワーだけではディスク２の外周側で最適な記録が行えないため、予め設定された位置で最適記録パワーを補正するために行われる処理である。
【００４４】
マイコン２４は、ステップＳ１−７で記録終了指示があるまで、ステップＳ１−４〜Ｓ１−６を繰り返し、ステップＳ１−７で記録終了指示があると、ステップＳ１−８で記録動作を停止して処理を終了する。
【００４５】
次に、ＷＰＣ処理について詳細説明する。
【００４６】
図５はマイコン２４のＷＰＣ処理時のフローチャートを示す。
【００４７】
マイコン２４は、ＷＰＣ処理が開始されると、まず、ステップＳ２−１で記録動作を停止させる。次に、マイコン２４は、ステップＳ２−２で所定時間前の記録信号をシークする。
【００４８】
図６はＷＰＣ処理の動作説明図を示す。
【００４９】
図６において時刻ｔ１でＷＰＣ処理が開始され、記録動作が停止し、時刻ｔ１から動作待ち時間Δｔ１経過した時刻ｔ２で時間Δｔ３前の時刻ｔ３にシークし、既記録信号Ｓ１を読み出す。このとき、既記録信号Ｓ１は記録動作が停止した時刻ｔ１から時間Δｔ０より前の時刻ｔ０に記録された信号である。これによって、所定時間Ｔ＝（Δｔ０＋Δｔ１＋Δｔ２）経過した後の信号Ｓ１を読み出すことができる。なお、所定時間Ｔは４ｓｅｃ程度とすることにより、略すべての光ディスクに対応可能である。なお、所定時間Ｔは、４ｓｅｃに限定されるものではなく、特性、すなわち、β値が安定するのに必要な時間が経過しており、かつ、β値を取得できる時間が最小限にできるように設定する。
【００５０】
また、光ディスクのメーカーなどに応じて所定時間Ｔを切り換えるようにしてもよい。
【００５１】
マイコン２４は、ステップＳ２−３で所定時間Ｔより前に記録された信号Ｓ１のピーク値Ａ１及びボトム値Ａ２を取得し、β値を求める。所定時間Ｔより前の信号Ｓ１からβ値を取得することにより、特性、すなわち、β値が安定した後に特性、すなわち、β値を取得するため、正確なβ値を取得できる。このため、正確に適切な記録パワーを求めることができる。
【００５２】
このとき、記録時間Δｔ０、動作待ち時間Δｔ１及びシーク時間Δｔ２を必要最小限に設定することにより、短い時間でＷＰＣ処理を行うことができる。
【００５３】
図６に戻って説明を続ける
次にマイコン２４は、ステップＳ２−４でβ値が記録パワー制御の許容範囲である、制限範囲内か否かを判定する。
【００５４】
マイコン２４はステップＳ２−４でβ値が制限範囲内にある場合には、ステップＳ２−５でβ値が許容範囲か否かを判定する。
【００５５】
マイコン２４は、ステップＳ２−５でβ値が許容範囲内にあれば、記録パワーを変更することなくステップＳ２−６で記録動作を再開する。また、マイコン２４は、ステップＳ２−５でβ値が許容範囲外であれば、ステップＳ２−７で記録パワーをβ値が小さくなるように変更した後、ステップＳ２−６で記録動作を再開する。
【００５６】
また、マイコン２４は、ステップＳ２−４でβ値が制限範囲外である場合には、記録パワーの変更では対応できないので、ステップＳ２−８で記録速度低減処理を実行する。記録速度低減処理は、記録速度を１ステップ低減させる処理であり、例えば、２４倍速であれば、２０倍速にするなどの制御を行った後、ステップＳ２−２に戻って、低減した記録速度で、再び最適記録パワーを求める。
【００５７】
ここで、ステップＳ２−８の記録速度低減処理について詳細に説明する。
【００５８】
図７は記録速度低減処理の処理フローチャートを示す。
【００５９】
マイコン２４は、ステップＳ３−１で記録速度を１ステップ低減する。例えば、４８倍速であれば、４２倍速に、４２倍速であれば、３６倍速にする。
【００６０】
次にマイコン２４は、ステップＳ３−２で同じ記録速度で記録された既記録信号を検索する。マイコン２４は、例えば、回転速度毎に、その記録速度と絶対時間との関係をテーブル化したテーブルを有し、そのテーブルから対応する記録速度の絶対時間での位置を検索する。
【００６１】
次に、マイコン２４は、ステップＳ３−３で検索した既記録信号を再生する。次に、マイコン２４は、ステップＳ３−４で再生された既記録信号のピーク値及びボトム値からβ値を前述式（１）に基づいて算出する。
【００６２】
次に、マイコン２４は、ステップＳ３−５で算出したβ値に基づいて記録パワーを補正し、ステップＳ３−６で記録動作を再開する。
【００６３】
以上により、記録速度低減時のＷＰＣのための記録を省略できる。したがって、素早く記録動作に移行できる。また、移行時に同じ記録速度で記録された信号状態を測定した結果、取得された記録パワーで記録を行うことができるので、正確に記録を行える。
【００６４】
なお、本実施例では、ＷＰＣ処理において所定時間Ｔ以前に記録された信号を再生することによりβ値が安定した後にβ値を取得して記録パワーなどの制御を行ったが、所定時間待機した後に最新の信号を再生することによりβ値を取得するようにしてもよい。
【００６５】
図８はマイコン２４のＷＰＣ処理の変形例のフローチャートを示す。同図中、図５と同一処理部分には同一符号を付し、その説明は省略する。
【００６６】
本実施例では、マイコン２４は、ステップＳ２−１で記録動作を停止した後、ステップＳ４−１でタイマを起動し、ステップＳ４−２で所定時間経過するまで待機する。マイコン２４は、ステップＳ４−２で所定時間経過した後、ステップＳ４−３で最新の記録信号をシークして、最新の記録信号のピーク値とボトム値を読み取り、ステップＳ２−３でβ値を測定する。
【００６７】
図９はＷＰＣ処理の変形例の動作説明図を示す。
【００６８】
ポジションｐ０で記録動作が終了した後、時間Δｔ１１経過したポジションｐ１で最新の信号Ｓ１１のポジションｐ２をシークし、最新の信号Ｓ１１を読み取り、そのポーク値とボトム値とからβ値を測定する。
【００６９】
このとき、ポジションｐ１からポジションｐ２までにかかるシーク時間Δｔ１２を考慮して所定時間Δｔ１１を設定することにより、必要最小限の時間で信号を読み取ることができる。
【００７０】
なお、本実施例では、ＣＤ−Ｒ（ｃｏｍｐａｃｔ  ｄｉｓｋ−ｒｅｃｏｒｄａｂｌｅ）  やＣＤ−ＲＷ（ｃｏｍｐａｃｔ  ｄｉｓｋ−ｒｅｗｒｉｔａｂｌｅ）ディスクに信号を記録するための光ディスク装置につてい説明したが、ＤＶＤ−ＲＡＭ、ＭＯ（ｍａｇｎｅｔｏ  ｏｐｔｉｃａｌ）など記録可能な他の光ディスク装置に提供することは可能である。
【００７１】
また、本実施例の特性測定方法は、ＣＬＶ方式、ＣＡＶ方式、ゾーンＣＬＶ方式など記録方式に限定されずに適用できる。
【００７２】
【発明の効果】
上述の如く、本発明のよれば、所定の信号状態測定位置での測定結果に基づいてディスクの回転速度を低減したとき、低減した回転速度における信号の状態を、他の回転速度の同じ記録速度での既に記録された信号を再生し、再生した信号に基づいて測定し、測定した信号状態に基づいて低減した回転速度における記録パワーを制御することにより、信号を書き込むことなく、信号の状態を測定することができるため、低減した回転速度で未知の記録パワーで信号を記録することなく、直ぐに最適記録パワーで記録を行うことができ、よって、高速、かつ、正確に信号の記録を行うことができるなどの特長を有する。
【図面の簡単な説明】
【図１】本発明の光ディスク装置の一実施例のブロック構成図である。
【図２】ＷＰＣ位置テーブル部２５のデータ構成図を示す。
【図３】光ディスク２上での絶対時間に対する記録速度の変化を示す図である。
【図４】マイコン２４の記録動作時のフローチャートである。
【図５】マイコン２４のＷＰＣ処理時のフローチャートである。
【図６】ＷＰＣ処理の動作説明図である。
【図７】記録速度低減処理の処理フローチャートである。
【図８】マイコン２４のＷＰＣ処理の変形例のフローチャートである。
【図９】ＷＰＣ処理の変形例の動作説明図である。
【図１０】βの測定動作を説明するための図である。
【図１１】記録パワーとβ値との関係を示す図である。
【符号の説明】
１  光ディスク装置、２  光ディスク
１１  ターンテーブル、１２  スピンドルモータ、１３  光ピックアップ
１４  スレッドモータ、１５  インタフェース、１６  メモリ
１７  メモリコントローラ、１８  エンコーダ、１９  レーザコントローラ
２０  リードアンプ、２１  デコーダ、２２  サーボコントローラ
２３  ドライバ、２４  マイコン、２５  ＷＰＣ位置テーブル
３１  対物レンズ
【図１】
2004192671.tif 000003
【図２】
2004192671.tif 000004
【図３】
2004192671.tif 000005
【図４】
2004192671.tif 000006
【図５】
2004192671.tif 000007
【図６】
2004192671.tif 000008
【図７】
2004192671.tif 000009
【図８】
2004192671.tif 000010
【図９】
2004192671.tif 000011
【図１０】
2004192671.tif 000012
【図１１】
2004192671.tif 000013